(57)【要約】【課題】移動局装置と基地局装置とが無線により通信する無線通信システムで、通話接続までに要する時間を短縮化する。【解決手段】移動局装置は、待受状態において間欠受信動作を実行し、呼出し先となる他の移動局装置との接続要求信号を基地局装置に対して無線送信し、基地局装置から無線送信される間欠受信停止信号を受信したことに応じて間欠受信動作の実行を停止して連続受信動作を実行し、基地局装置から無線送信される呼出し先に対する接続応答信号を受信したことに応じて発信元となる他の移動局装置との通話を実行する。基地局装置は、移動局装置から無線送信される接続要求信号を受信した後に、間欠受信停止信号を移動局装置に対して無線送信し、その後、呼出し先となる移動局装置を収容している場合には呼出し先に対する接続応答信号を呼出し先となる移動局装置に対して無線送信する。【選択図】  図３
2006222998.tif 000002
【特許請求の範囲】
【請求項１】
移動局装置と基地局装置とが無線により通信する無線通信システムであって、
移動局装置は、待受状態において間欠受信動作を実行する間欠受信動作実行手段と、
呼出し先となる他の移動局装置との接続要求信号を基地局装置に対して無線送信する接続要求信号無線送信手段と、
基地局装置から無線送信される間欠受信停止信号を受信する間欠受信停止信号受信手段と、
間欠受信停止信号受信手段により間欠受信停止信号を受信したことに応じて、間欠受信動作実行手段による間欠受信動作の実行を停止して、連続受信動作を実行する連続受信動作実行手段と、
基地局装置から無線送信される呼出し先に対する接続応答信号を受信する呼出し先接続応答信号受信手段と、
呼出し先接続応答信号受信手段により接続応答信号を受信したことに応じて、発信元となる他の移動局装置との通話を実行する通話実行手段と、を備え、
基地局装置は、移動局装置から無線送信される接続要求信号を受信する接続要求信号受信手段と、
接続要求信号受信手段により接続要求信号を受信した後に、間欠受信停止信号を移動局装置に対して無線送信し、その後、呼出し先となる移動局装置を収容している場合には呼出し先に対する接続応答信号を呼出し先となる移動局装置に対して無線送信する通話接続処理手段と、を備え、
移動局装置は、間欠受信動作時には所定のフレームを受信し、連続受信動作時には間欠受信動作時に受信するフレームとは異なる所定のフレームを受信する、
ことを特徴とする無線通信システム。
【請求項２】
請求項１に記載の無線通信システムにおいて、
基地局装置と通信する回線制御装置を有しており、
基地局装置は、接続要求信号受信手段により接続要求信号を受信したことに応じて、接続要求信号を回線制御装置に対して送信する接続要求信号送信手段と、
回線制御装置から送信される間欠受信停止信号を受信する間欠受信停止信号受信手段と、
回線制御装置から送信される呼出し先に対する接続応答信号を受信する呼出し先接続応答信号受信手段と、を備え、
基地局装置の通話接続処理手段は、間欠受信停止信号受信手段により間欠受信停止信号を受信したことに応じて間欠受信停止信号を移動局装置に対して無線送信し、その後、呼出し先接続応答信号受信手段により呼出し先に対する接続応答信号を受信したことに応じて呼出し先に対する接続応答信号を移動局装置に対して無線送信し、
回線制御装置は、基地局装置から送信される接続要求信号を受信する接続要求信号受信手段と、
接続要求信号受信手段により接続要求信号を受信したことに応じて、間欠受信停止信号を基地局装置に対して送信し、受信した接続要求信号に関する判定処理を実行し、その後、当該判定処理の実行結果に基づいて呼出し先に対する接続応答信号を基地局装置に対して送信する通話接続処理手段と、を備えた、
ことを特徴とする無線通信システム。
【請求項３】
請求項１又は請求項２に記載の無線通信システムにおいて、
基地局装置と移動局装置との間の無線通信は、基地局装置から移動局装置を呼び出すための所定のチャネルのフレームと、それ以外のフレームを用いて行われ、
間欠受信動作実行中の移動局装置の間欠受信動作実行手段は、前記所定のチャネルのフレームのみを受信し、
基地局装置の通話接続処理手段は、間欠受信動作実行中の移動局装置に対して、前記所定のチャネルのフレームを用いて、間欠受信停止信号を無線送信し、
基地局装置の通話接続処理手段は、間欠受信動作実行停止中の移動局装置に対して、前記所定のチャネルのフレーム以外のフレームを用いて、呼出し先に対する接続応答信号を無線送信する、
ことを特徴とする無線通信システム。
【請求項４】
間欠受信動作実行中の移動局装置を基地局装置側から呼び出す無線通信システムにおける移動局装置呼出し方法であって、
基地局装置側から無線送信する間欠受信停止信号により間欠受信動作実行中の移動局装置による間欠受信動作の実行を停止させた後に、
基地局装置側から間欠受信動作の実行を停止した呼出し先となる移動局装置に対して呼出しのための信号を送信して、当該移動局装置を呼び出す、ことを行い、
移動局装置は、間欠受信動作時には所定のフレームを受信し、連続受信動作時には間欠受信動作時に受信するフレームとは異なる所定のフレームを受信する、ことを行い、
基地局装置側は、所定の領域の画像を撮像する画像撮像手段について、撮像方向或いは撮像角度が変更された画像撮像手段により撮像されている領域に基づいて、間欠受信動作実行中の移動局装置による間欠受信動作の実行を停止させる領域を特定し、特定した領域に存在する移動局装置のみについて、間欠受信動作実行中の移動局装置による間欠受信動作の実行を停止させるように制御する、ことを行う、
ことを特徴とする移動局装置呼出し方法。
【請求項５】
間欠受信動作実行中の移動局装置を基地局装置側から呼び出す無線通信システムにおける移動局装置呼出し方法であって、
基地局装置側から無線送信する間欠受信停止信号により間欠受信動作実行中の移動局装置による間欠受信動作の実行を停止させた後に、
基地局装置側から間欠受信動作の実行を停止した呼出し先となる移動局装置に対して呼出しのための信号を送信して、当該移動局装置を呼び出す、ことを行い、
移動局装置は、間欠受信動作時には所定のフレームを受信し、連続受信動作時には間欠受信動作時に受信するフレームとは異なる所定のフレームを受信する、ことを行い、
基地局装置側は、所定の領域の画像を撮像する画像撮像手段について、クローズアップ操作された画像撮像手段により撮像されている領域に基づいて、間欠受信動作実行中の移動局装置による間欠受信動作の実行を停止させる領域を特定し、特定した領域に存在する移動局装置のみについて、間欠受信動作実行中の移動局装置による間欠受信動作の実行を停止させるように制御する、ことを行う、
ことを特徴とする移動局装置呼出し方法。
【発明の詳細な説明】
【技術分野】
【０００１】
本発明は、移動局装置と基地局装置とが無線により通信する無線通信システムなどに関し、特に、移動局装置により行われる間欠受信動作を停止させて、例えば通話接続までに要する時間を短縮化する技術に関する。
【背景技術】
【０００２】
例えば、空港エリア内に存する航空機の安全性やユーザの快適性を確保するという重要な使命を担っている空港向けのマルチチャネルアクセス（ＭＣＡ：Ｍｕｌｔｉ  Ｃｈａｎｎｅｌ  Ａｃｃｅｓｓ）無線システムが、電波産業会（ＡＲＩＢ）により、空港内デジタル移動通信システム（ＡＲＩＢ  ＳＴＤ  Ｔ−８７）として規格化されている。
この規格では、通話接続時間が短いという特徴がある。
図４を参照して、この規格で規定される通話接続までの処理の流れの一例を示す。
なお、本例の通話接続方式では、２つの移動局装置１、２と、２つの基地局装置１、２と、１つの回線制御装置を例として説明する。
【０００３】
（１）待受状態にある移動局装置１、２は、バッテリー運用による長時間動作を実現するために、間欠受信動作を行っている。
（２）発信操作を行った移動局装置１は、間欠受信動作を停止する。
（３）そして、当該移動局装置１は、基地局装置１に対して接続要求を送信する。
（４）当該基地局装置１は、回線制御装置に対して、接続要求を送信する。
（５）回線制御装置は、受信した接続要求を判定処理する。この判定処理では、発信元番号が正常であるかどうかや、呼出し先番号が正常であるかどうかや、呼出し先はいずれの基地局装置に位置登録しているかなどを判定する。
（６）そして、当該回線制御装置は、発信元の基地局装置１に対して接続応答及び無線チャネル指定を送信するとともに、呼出し先となる移動局装置（本例では、移動局装置２）が位置登録している基地局装置（本例では、基地局装置２）に対して接続応答及び無線チャネル指定を送信する。
（７）これらの基地局装置１、２は、それぞれ、移動局装置１、２に対して接続応答及び無線チャネル指定を送信する。
（８）そして、これらの基地局装置１、２は、それぞれ、通信チャネルを起動する。
（９）接続応答及び無線チャネル指定を受信した移動局装置１、２は、間欠受信動作中の場合には（本例では、移動局装置２の場合には）、間欠受信動作を停止する。
（１０）そして、これらの移動局装置１、２は、通信チャネルを起動する。
（１１）これにより、通話接続が完了して、これらの移動局装置１、２の間で、基地局装置１、２及び回線制御装置を介して、通話状態となる。
【０００４】
【特許文献１】特開２００３−２８４１３１号公報
【非特許文献１】ＡＲＩＢ  ＳＴＤ−Ｔ８７  「空港内デジタル移動通信システム」、財団法人  電波産業会
【発明の開示】
【発明が解決しようとする課題】
【０００５】
しかしながら、例えば上記図４に示されるような通話接続方式では、基地局装置１、２から移動局装置１、２に対する接続応答及び無線チャネル指定を一斉呼出しチャネル（ＰＣＨ：Ｐａｇｉｎｇ  Ｃｈａｎｎｅｌ）で送信しているため、呼出し先となる移動局装置２が間欠受信中である場合には、回線制御装置から受け取った接続応答及び無線チャネル指定を基地局装置２から一斉呼出しチャネル（ＰＣＨ）で移動局装置２へ送信することができるまでに、長時間（例えば、最大で２８０ｍｓｅｃ）待機する必要がある。このため、呼出し先となる移動局装置２が接続応答及び無線チャネル指定を受信することができるのは、（回線制御装置における判定処理時間＋基地局装置２における一斉呼出しチャネル（ＰＣＨ）送信待ち時間（例えば、最大で２８０ｍｓｅｃ））の後となってしまう。例えば、１ｓｅｃ以内での通話接続を目標とした場合には、このような一斉呼出しチャネル（ＰＣＨ）送信待ち時間（例えば、最大で２８０ｍｓｅｃ）は非常に大きな値となってしまう。
本発明は、このような従来の事情に鑑み為されたもので、移動局装置と基地局装置とが無線により通信する構成において、移動局装置により行われる間欠受信動作を停止させて、例えば、通話接続までに要する時間を短縮化することができる無線通信システムなどを提供することを目的とする。
【課題を解決するための手段】
【０００６】
上記目的を達成するため、本発明に係る無線通信システムでは、移動局装置と基地局装置とが無線により通信する構成において、次のような処理を行う。
すなわち、移動局装置では、間欠受信動作実行手段が、待受状態において、間欠受信動作を実行する。接続要求信号無線送信手段が、呼出し先となる他の移動局装置との接続要求信号を基地局装置に対して無線送信する。間欠受信停止信号受信手段が、基地局装置から無線送信される間欠受信停止信号を受信する。連続受信動作実行手段が、間欠受信停止信号受信手段により間欠受信停止信号を受信したことに応じて、間欠受信動作実行手段による間欠受信動作の実行を停止して、連続受信動作を実行する。呼出し先接続応答信号受信手段が、基地局装置から無線送信される呼出し先に対する接続応答信号を受信する。通話実行手段が、呼出し先接続応答信号受信手段により接続応答信号を受信したことに応じて、発信元となる他の移動局装置との通話を実行する。
基地局装置では、接続要求信号受信手段が、移動局装置から無線送信される接続要求信号を受信する。通話接続処理手段が、接続要求信号受信手段により接続要求信号を受信した後に、間欠受信停止信号を移動局装置に対して無線送信し、その後、呼出し先となる移動局装置を収容している場合には、呼出し先に対する接続応答信号を呼出し先となる移動局装置に対して無線送信する。
【０００７】
従って、接続要求があった場合に、移動局装置により行われる間欠受信動作を停止させて、例えば、通話接続までに要する時間を短縮化することができる。具体的には、例えば、発信元となる或る移動局装置から呼出し先となる他の移動局装置との接続要求が発生した場合に、基地局装置から間欠受信停止信号を無線送信することにより、当該他の移動局装置の受信動作状態を間欠受信動作状態から連続受信動作状態へ切り替え、これにより、基地局装置から当該他の移動局装置へ呼出し先に対する接続応答信号を迅速に通知することが可能となり、当該或る移動局装置と当該他の移動局装置との通話を迅速に確立することが可能となる。
【０００８】
ここで、移動局装置の待受状態としては、例えば、一般的な待受状態が用いられ、一例として、通話のための発信や受信が行われていないような状態が用いられる。
また、移動局装置の間欠受信動作としては、種々な態様の動作が用いられてもよく、例えば、所定の周期で受信処理を行うような動作が用いられる。
また、移動局装置の連続受信動作としては、種々な態様の動作が用いられてもよく、例えば、常に（時間的に連続して）受信処理を行うような動作が用いられる。
また、移動局装置の連続受信動作実行手段は、例えば、間欠受信停止信号が受信されたことに応じて所定の期間だけ間欠受信動作の実行を停止して連続受信動作を実行し、その後、再び、間欠受信動作実行手段により間欠受信動作が実行されるようにする。
また、基地局装置の通話接続処理手段は、呼出し先となる移動局装置を収容している場合には呼出し先に対する接続応答信号を呼出し先となる移動局装置に対して無線送信するが、例えば、呼出し先となる移動局装置を収容していない場合においても呼出し先に対する接続応答信号を無線送信するような態様が用いられてもよい。
また、基地局装置が移動局装置を収容する場合としては、例えば、基地局装置の通信可能領域（サービスエリア）に移動局装置が存在することや、基地局装置により移動局装置の識別情報が管理されていることや、基地局装置により移動局装置が位置登録されていることなどの、１以上が満たされるような場合が用いられる。
【０００９】
本発明に係る無線通信システムでは、基地局装置と通信する回線制御装置を有しており、次のような処理を行う。
すなわち、基地局装置では、接続要求信号送信手段が、接続要求信号受信手段により接続要求信号を受信したことに応じて、接続要求信号を回線制御装置に対して送信する。間欠受信停止信号受信手段が、回線制御装置から送信される間欠受信停止信号を受信する。呼出し先接続応答信号受信手段が、回線制御装置から送信される呼出し先に対する接続応答信号を受信する。また、通話接続処理手段は、間欠受信停止信号受信手段により間欠受信停止信号を受信したことに応じて、間欠受信停止信号を移動局装置に対して無線送信し、その後、呼出し先接続応答信号受信手段により呼出し先に対する接続応答信号を受信したことに応じて、呼出し先に対する接続応答信号を移動局装置に対して無線送信する。
回線制御装置では、接続要求信号受信手段が、基地局装置から送信される接続要求信号を受信する。通話接続処理手段が、接続要求信号受信手段により接続要求信号を受信したことに応じて、間欠受信停止信号を基地局装置に対して送信し、受信した接続要求信号に関する判定処理を実行し、その後、当該判定処理の実行結果に基づいて、呼出し先に対する接続応答信号を基地局装置に対して送信する。
【００１０】
従って、回線制御装置では、移動局装置の間欠受信動作を停止させて連続受信動作へ切り替えさせておいて、接続要求信号に関する判定処理が実行されるため、処理時間の効率化を図ることができ、例えば、通話接続までに要する時間を短縮化することができる。
ここで、基地局装置と回線制御装置との間では、例えば、有線により通信が行われてもよく、無線により通信が行われてもよい。
また、回線制御装置により実行される接続要求信号に関する判定処理としては、種々な処理が用いられてもよく、例えば、接続要求における発信元の移動局装置の番号情報を判定する処理や、接続要求における呼出し先となる移動局装置の番号情報を判定する処理などが用いられる。
また、回線制御装置の通話接続処理手段により間欠受信停止信号を送信するタイミング及び接続要求に関する判定処理の実行を開始するタイミングとしては、種々なタイミングが用いられてもよく、例えば、間欠受信停止信号を送信するのと同時或いはほぼ同時に判定処理の実行を開始するタイミングや、間欠受信停止信号を送信した後に判定処理の実行を開始するタイミングや、判定処理の実行を開始した後にすぐに間欠受信停止信号を送信するタイミングなどを用いることができる。
【００１１】
また、移動局装置から基地局装置へ送信される接続要求信号と、基地局装置から回線制御装置へ送信される接続要求信号としては、それぞれ種々な信号が用いられてもよく、例えば、これらの接続要求信号として同一の信号が用いられてもよく或いは異なる信号が用いられてもよい。
また、回線制御装置から基地局装置へ送信される間欠受信停止信号と、基地局装置から移動局装置へ送信される間欠受信停止信号としては、それぞれ種々な信号が用いられてもよく、例えば、これらの間欠受信停止信号として同一の信号が用いられてもよく或いは異なる信号が用いられてもよい。
また、回線制御装置から基地局装置へ送信される接続応答信号と、基地局装置から移動局装置へ送信される接続応答信号としては、それぞれ種々な信号が用いられてもよく、例えば、これらの接続応答信号として同一の信号が用いられてもよく或いは異なる信号が用いられてもよい。
また、例えば、接続応答信号と共に、通話に使用する無線チャネルを指定する無線チャネル指定信号などが送信されてもよい。
【００１２】
本発明に係る無線通信システムでは、次のような構成とした。
すなわち、基地局装置と移動局装置との間の無線通信は、基地局装置から移動局装置を呼び出すための一斉呼出しチャネル（ＰＣＨ）のフレームと、それ以外のフレームを用いて行われる。
間欠受信動作実行中の移動局装置の間欠受信動作実行手段は、一斉呼出しチャネル（ＰＣＨ）のフレームのみを受信する。
基地局装置の通話接続処理手段は、間欠受信動作実行中の移動局装置に対して、一斉呼出しチャネル（ＰＣＨ）のフレームを用いて、間欠受信停止信号を無線送信する。
基地局装置の通話接続処理手段は、間欠受信動作実行停止中の移動局装置に対して、一斉呼出しチャネル（ＰＣＨ）のフレーム以外のフレームを用いて、呼出し先に対する接続応答信号を無線送信する。
【００１３】
従って、一斉呼出しチャネル（ＰＣＨ）のフレームのみを受信する間欠受信動作実行中の移動局装置の間欠受信動作を停止させて連続受信動作を実行させることにより、一斉呼出しチャネル（ＰＣＨ）のフレーム以外のフレームを用いて基地局装置から移動局装置へ呼出し先に対する接続応答信号を通知することが可能となり、これにより、例えば、通話接続までに要する時間を短縮化することができる。
ここで、基地局装置と移動局装置との間の無線通信では、種々なチャネルのフレームが用いられてもよく、例えば、一斉呼出しチャネル（ＰＣＨ）のフレームのほかに、報知チャネル（ＢＣＣＨ）のフレームや、個別ゾーン用シグナリングチャネル（ＳＣＣＨ）のフレームなどを用いることができる。
また、基地局装置から間欠受信動作実行停止中の移動局装置に対して接続応答信号を送信するのに用いるフレームとしては、種々なフレームが用いられてもよく、例えば、一斉呼出しチャネル（ＰＣＨ）以外のフレームとして個別ゾーン用シグナリングチャネル（ＳＣＣＨ）のフレームなどを用いることができ、また、例えば、タイミングが良い場合には、一斉呼出しチャネル（ＰＣＨ）のフレームが用いられてもよく、つまり、一斉呼出しチャネル（ＰＣＨ）のフレーム及び所定の他のチャネルのフレームのうちでタイミングが良いフレームが用いられる。
【００１４】
本発明に係る無線通信システムでは、次のような構成とした。
すなわち、画像撮像手段が、所定の領域の画像を撮像する。間欠受信動作停止領域特定手段が、画像撮像手段による画像撮像に基づいて、間欠受信動作実行中の移動局装置による間欠受信動作の実行を停止させる領域を特定する。間欠受信動作停止制御手段が、間欠受信動作停止領域特定手段により特定される領域に存在する移動局装置のみについて、間欠受信動作実行中の移動局装置による間欠受信動作の実行を停止させるように制御する。
従って、画像の撮像に基づいて特定された領域についてのみ、移動局装置による間欠受信動作の実行が停止させられて連続受信動作へ切り替えられ、これにより、例えば、必要な領域についてのみ、通話接続までに要する時間を短縮化することができる。
【００１５】
ここで、画像撮像手段としては、例えば、１又は複数のカメラなどを用いて構成することができる。
また、画像撮像手段により画像を撮像する領域としては、１又は複数の種々な領域が用いられてもよい。
また、画像撮像手段により撮像する画像としては、例えば、動画像が用いられてもよく、或いは、静止画像が用いられてもよい。
また、間欠受信動作停止領域特定手段は、例えば、画像撮像手段により撮像される画像や、当該画像の出力や解析などの処理結果や、当該画像を見る者（例えば、監視者）による各種の操作や、画像撮像手段により画像を撮像する際の動作などの撮像態様などの、１以上に基づいて、１又は複数の領域を特定する。
また、間欠受信動作停止領域特定手段は、例えば、１又は複数の基地局装置の通信可能領域（サービスエリア）を領域として特定する。
また、間欠受信動作停止制御手段は、例えば、１又は複数の限定された基地局装置のみから間欠受信停止信号が無線送信されるように制御することにより、これらの基地局装置の通信可能領域（サービスエリア）に存在する間欠受信動作実行中の移動局装置のみについて間欠受信動作の実行を停止させる。
また、画像撮像手段や、間欠受信動作停止領域特定手段や、間欠受信動作停止制御手段としては、それぞれ種々なところに備えられてもよく、例えば、画像撮像手段を基地局装置に備えることや、間欠受信動作停止領域特定手段や間欠受信動作停止制御手段を基地局装置や回線制御装置に備えることや、或いは、これらの手段を他の装置に備えることも可能である。一例として、画像撮像手段を構成する複数のカメラのそれぞれを複数の基地局装置のそれぞれに備えて、間欠受信動作停止領域特定手段がまずカメラを特定してから当該カメラが備えられた基地局装置の通信可能領域（サービスエリア）を領域として特定するような態様を用いることも可能である。
【００１６】
本発明に係る無線通信システムにおける移動局装置呼出し方法では、次のようにして、間欠受信動作実行中の移動局装置を基地局装置側から呼び出す。
すなわち、基地局装置側から無線送信する間欠受信停止信号により、間欠受信動作実行中の移動局装置による間欠受信動作の実行を停止させた後に、基地局装置側から間欠受信動作の実行を停止した呼出し先となる移動局装置に対して呼出しのための信号（呼出し信号）を送信して、当該移動局装置を呼び出す。
従って、移動局装置の呼出しがあった場合に、移動局装置により行われる間欠受信動作を停止させて、例えば、呼出しまでに要する時間を短縮化することができる。具体的には、例えば、移動局装置の呼出しが発生した場合に、基地局装置側から間欠受信停止信号を送信することにより、呼出し先となる移動局装置の受信動作状態を間欠受信動作状態から連続受信動作状態へ切り替え、これにより、基地局装置側から呼出し先となる移動局装置を迅速に呼び出すことが可能となる。
ここで、呼出しのための信号としては、種々な信号が用いられてもよく、例えば、呼出し先に対する接続応答信号が用いられる。
【００１７】
以下で、更に、構成例を示す。
（構成例１）移動局装置と基地局装置とが無線により通信する無線通信システムであって、
移動局装置は、待受状態において間欠受信動作を実行する間欠受信動作実行手段と、
呼出し先となる他の移動局装置との接続要求信号を基地局装置に対して無線送信する接続要求信号無線送信手段と、
基地局装置から無線送信される間欠受信停止信号を受信する間欠受信停止信号受信手段と、
間欠受信停止信号受信手段により間欠受信停止信号を受信したことに応じて、間欠受信動作実行手段による間欠受信動作の実行を停止して、連続受信動作を実行する連続受信動作実行手段と、
基地局装置から無線送信される呼出し先に対する接続応答信号を受信する呼出し先接続応答信号受信手段と、
呼出し先接続応答信号受信手段により接続応答信号を受信したことに応じて、発信元となる他の移動局装置との通話を実行する通話実行手段と、を備え、
基地局装置は、移動局装置から無線送信される接続要求信号を受信する接続要求信号受信手段と、
接続要求信号受信手段により接続要求信号を受信した後に、間欠受信停止信号を移動局装置に対して無線送信し、その後、呼出し先となる移動局装置を収容している場合には呼出し先に対する接続応答信号を呼出し先となる移動局装置に対して無線送信する通話接続処理手段と、を備え、
移動局装置は、間欠受信動作時には所定のフレームを受信し、連続受信動作時には間欠受信動作時に受信するフレームとは異なる所定のフレームを受信する、
ことを特徴とする無線通信システム。
【００１８】
（構成例２）（構成例１）に記載の無線通信システムにおいて、
基地局装置と通信する回線制御装置を有しており、
基地局装置は、接続要求信号受信手段により接続要求信号を受信したことに応じて、接続要求信号を回線制御装置に対して送信する接続要求信号送信手段と、
回線制御装置から送信される間欠受信停止信号を受信する間欠受信停止信号受信手段と、
回線制御装置から送信される呼出し先に対する接続応答信号を受信する呼出し先接続応答信号受信手段と、を備え、
基地局装置の通話接続処理手段は、間欠受信停止信号受信手段により間欠受信停止信号を受信したことに応じて間欠受信停止信号を移動局装置に対して無線送信し、その後、呼出し先接続応答信号受信手段により呼出し先に対する接続応答信号を受信したことに応じて呼出し先に対する接続応答信号を移動局装置に対して無線送信し、
回線制御装置は、基地局装置から送信される接続要求信号を受信する接続要求信号受信手段と、
接続要求信号受信手段により接続要求信号を受信したことに応じて、間欠受信停止信号を基地局装置に対して送信し、受信した接続要求信号に関する判定処理を実行し、その後、当該判定処理の実行結果に基づいて呼出し先に対する接続応答信号を基地局装置に対して送信する通話接続処理手段と、を備えた、
ことを特徴とする無線通信システム。
【００１９】
（構成例３）（構成例１）又は（構成例２）に記載の無線通信システムにおいて、
基地局装置と移動局装置との間の無線通信は、基地局装置から移動局装置を呼び出すための所定のチャネルのフレームと、それ以外のフレームを用いて行われ、
間欠受信動作実行中の移動局装置の間欠受信動作実行手段は、前記所定のチャネルのフレームのみを受信し、
基地局装置の通話接続処理手段は、間欠受信動作実行中の移動局装置に対して、前記所定のチャネルのフレームを用いて、間欠受信停止信号を無線送信し、
基地局装置の通話接続処理手段は、間欠受信動作実行停止中の移動局装置に対して、前記所定のチャネルのフレーム以外のフレームを用いて、呼出し先に対する接続応答信号を無線送信する、
ことを特徴とする無線通信システム。
【００２０】
（構成例４）間欠受信動作実行中の移動局装置を基地局装置側から呼び出す無線通信システムにおける移動局装置呼出し方法であって、
基地局装置側から無線送信する間欠受信停止信号により間欠受信動作実行中の移動局装置による間欠受信動作の実行を停止させた後に、
基地局装置側から間欠受信動作の実行を停止した呼出し先となる移動局装置に対して呼出しのための信号を送信して、当該移動局装置を呼び出す、ことを行い、
移動局装置は、間欠受信動作時には所定のフレームを受信し、連続受信動作時には間欠受信動作時に受信するフレームとは異なる所定のフレームを受信する、ことを行い、
基地局装置側は、所定の領域の画像を撮像する画像撮像手段について、撮像方向或いは撮像角度が変更された画像撮像手段により撮像されている領域に基づいて、間欠受信動作実行中の移動局装置による間欠受信動作の実行を停止させる領域を特定し、特定した領域に存在する移動局装置のみについて、間欠受信動作実行中の移動局装置による間欠受信動作の実行を停止させるように制御する、ことを行う、
ことを特徴とする移動局装置呼出し方法。
【００２１】
（構成例５）間欠受信動作実行中の移動局装置を基地局装置側から呼び出す無線通信システムにおける移動局装置呼出し方法であって、
基地局装置側から無線送信する間欠受信停止信号により間欠受信動作実行中の移動局装置による間欠受信動作の実行を停止させた後に、
基地局装置側から間欠受信動作の実行を停止した呼出し先となる移動局装置に対して呼出しのための信号を送信して、当該移動局装置を呼び出す、ことを行い、
移動局装置は、間欠受信動作時には所定のフレームを受信し、連続受信動作時には間欠受信動作時に受信するフレームとは異なる所定のフレームを受信する、ことを行い、
基地局装置側は、所定の領域の画像を撮像する画像撮像手段について、クローズアップ操作された画像撮像手段により撮像されている領域に基づいて、間欠受信動作実行中の移動局装置による間欠受信動作の実行を停止させる領域を特定し、特定した領域に存在する移動局装置のみについて、間欠受信動作実行中の移動局装置による間欠受信動作の実行を停止させるように制御する、ことを行う、
ことを特徴とする移動局装置呼出し方法。
【発明の効果】
【００２２】
以上説明したように、本発明に係る無線通信システムなどによると、移動局装置と基地局装置とが無線により通信する構成において、移動局装置では、待受状態において間欠受信動作を実行し、呼出し先となる他の移動局装置との接続要求信号を基地局装置に対して無線送信し、また、基地局装置から無線送信される間欠受信停止信号を受信したことに応じて間欠受信動作の実行を停止して連続受信動作を実行し、基地局装置から無線送信される呼出し先に対する接続応答信号を受信したことに応じて発信元となる他の移動局装置との通話を実行し、また、基地局装置では、移動局装置から無線送信される接続要求信号を受信した後に、間欠受信停止信号を移動局装置に対して無線送信し、その後、呼出し先に対する接続応答信号を呼出し先となる移動局装置に対して無線送信するようにしたため、接続要求があった場合に、移動局装置により行われる間欠受信動作を停止させて、例えば、通話接続までに要する時間を短縮化することができる。
【発明を実施するための最良の形態】
【００２３】
本発明に係る実施例を図面を参照して説明する。
図１には、本発明を適用した本実施例に係る空港内デジタル移動通信システムの構成例を示してある。
本実施例に係る空港内デジタル移動通信システムには、携帯型の無線端末装置１と、車載型の無線端末装置２と、複数の基地局装置（無線機）１１、１２と、インタフェース装置１３と、回線制御装置１４と、有線端末接続装置１５と、複数の有線端末装置２１、２２と、ダイナミックリグルーピング端末装置２３と、運用管理装置２４と、監視カメラ装置３１が備えられている。
ここで、基地局装置１１、１２は、インタフェース装置１３と接続されている。また、インタフェース装置１３と回線制御装置１４と有線端末接続装置１５は、互いに接続されている。複数の有線端末装置２１、２２は有線端末接続装置１５と接続されており、ダイナミックリグルーピング端末装置２３と運用管理装置２４と監視カメラ装置３１は回線制御装置１４と接続されている。
なお、システムの構成としては、本例に限られず、種々なものが用いられてもよく、例えば、無線端末装置１、２の数や、基地局装置１１、１２の数としては、種々な数が用いられてもよい。
【００２４】
本実施例に係る空港内デジタル移動通信システムにおいて行われる概略的な動作の一例を示す。
各基地局装置１１、１２は、自己の通信可能領域（サービスエリア）に存在する無線端末装置１、２を管理し、当該無線端末装置１、２との間で無線により通信する。
各基地局装置１１、１２は、インタフェース装置１３を介して、回線制御装置１４や有線端末接続装置１５との間で通信する。
各有線端末装置２１、２２は、有線端末接続装置１５を介して、回線制御装置１４などとの間で通信する。
ダイナミックリグルーピング端末装置２３は、ダイナミックなリグルーピングの処理を行う。
運用管理装置２４は、システムの運用における種々な管理を行う。
監視カメラ装置３１は、所定の場所の画像を撮像し、撮像した画像を運用管理装置２４などに対して送信する。
【００２５】
また、本実施例に係る空港内デジタル移動通信システムでは、例えば、航空機のパイロットや、他の乗務員や、航空機の整備員や、事務員などの全ての空港勤務者が無線端末装置（例えば、無線端末装置１）を所持しており、空港の業務で使用される自動車などの全ての乗り物が無線端末装置（例えば、無線端末装置２）を搭載している。そして、例えば、管理センタに存在する管理者と外部の勤務者との間などのように、任意の勤務者の間で、無線端末装置により通話することが可能である。
また、本実施例に係る空港内デジタル移動通信システムでは、例えば、航空機のパイロットや、他の乗務員や、航空機の整備員や、事務員などの任意のグループ分けが為される。そして、任意のグループを指定して、上位の装置から所定のグループに属する全ての無線端末装置に対して一斉配信することや、通常の端末装置から所定のグループに属する全ての無線端末装置に対して一斉配信することなどが可能である。
また、本実施例に係る空港内デジタル移動通信システムでは、例えば、グローバルポジショニングシステム（ＧＰＳ：Ｇｌｏｂａｌ  Ｐｏｓｉｔｉｏｎｉｎｇ  Ｓｙｓｔｅｍ）や基地局装置のセクタ構成などを用いて、それぞれの無線端末装置１、２が存在する場所（位置）を特定することが可能である。
【００２６】
図２（ａ）、（ｂ）、（ｃ）を参照して、移動局装置である無線端末装置１、２により行われる間欠受信動作の一例を示す。
図２（ａ）には、基地局装置１１、１２から無線により送信される制御チャネルのフレームの構成例を示してあり、図２（ｂ）には、間欠受信動作を停止している移動局装置１、２における受信状態の一例を示してあり、図２（ｃ）には、間欠受信動作を行っている移動局装置１、２における受信状態の一例を示してある。
図２（ａ）に示されるように、基地局装置１１、１２から送信される制御チャネルでは、４０ｍｓｅｃのフレームを基本として、１８フレームを単位としたスーパーフレームの周期（７２０ｍｓｅｃ＝４０ｍｓｅｃ×１８）でデータが送信される。
スーパーフレームは、４個の報知チャネル（ＢＣＣＨ：Ｂｒｏａｄｃａｓｔ  Ｃｏｎｔｒｏｌ  Ｃｈａｎｎｅｌ）のフレームと、２個の一斉呼出しチャネル（ＰＣＨ：Ｐａｇｉｎｇ  Ｃｈａｎｎｅｌ）のフレームと、７個の個別ゾーン用シグナリングチャネル（ＳＣＣＨ：Ｓｉｇｎａｌｉｎｇ  Ｃｏｎｔｒｏｌ  Ｃｈａｎｎｅｌ）のフレームと、２個の一斉呼出しチャネル（ＰＣＨ）のフレームと、３個の個別ゾーン用シグナリングチャネル（ＳＣＣＨ）のフレームを並べて構成される。
【００２７】
ここで、報知チャネル（ＢＣＣＨ）は、基地局装置１１、１２から移動局装置１、２に対してチャネル構造に関する情報やシステムに関する情報などを送信（転送）するための片方向チャネルである。
また、一斉呼出しチャネル（ＰＣＨ）は、基地局装置１１、１２から移動局装置１、２に対して一斉呼出し情報を送信（転送）するための片方向チャネルである。
また、個別ゾーン用シグナリングチャネル（ＳＣＣＨ）は、基地局装置１１、１２と移動局装置１、２とが互いに情報を送信（転送）するための双方向チャネルである。
図２（ｂ）に示されるように、間欠受信動作を停止している移動局装置１、２は、常に受信オン（ＯＮ）の受信状態であり、スーパーフレームの全て（つまり、全てのフレーム）を受信する。
また、基地局装置１１、１２からの呼出し信号は、一斉呼出しチャネル（ＰＣＨ）で送信（転送）される。
図２（ｃ）に示されるように、間欠受信動作中の移動局装置１、２は、一斉呼出チャネル（ＰＣＨ）のフレームのタイミング（それぞれ、時間幅が８０ｍｓｅｃ＝４０ｍｓｅｃ×２）では受信オン（ＯＮ）の受信状態となり、他のタイミング（それぞれ、時間幅が２８０ｍｓｅｃ＝４０ｍｓｅｃ×７）では受信オフ（ＯＦＦ）の受信状態となり、一斉呼出しチャネル（ＰＣＨ）のフレームのみを受信する。このように、間欠受信動作中の移動局装置１、２では、受信動作を一斉呼出しチャネル（ＰＣＨ）のみに制限して、８０ｍｓｅｃの受信動作／２８０ｍｓｅｃの受信動作停止を繰り返して行い、これにより、バッテリーの運用時間を長大させる。
【実施例１】
【００２８】
本発明の第１実施例を説明する。
図３を参照して、本例の空港内デジタル移動通信システムにおいて行われる通話接続までの処理の流れの一例を示す。
なお、本例の通話接続方式では、２つの移動局装置１、２と、２つの基地局装置１、２と、１つの回線制御装置を例として説明する。本例では、例えば、図１に示される２つの無線端末装置１、２が図３に示される２つの移動局装置１、２に相当し、図１に示される２つの基地局装置（無線機）１１、１２が図３に示される２つの基地局装置１、２に相当し、図１に示される１つの回線制御装置１４が図３に示される１つの回線制御装置に相当する。
【００２９】
（１）待受状態にある移動局装置１、２は、間欠受信動作を行っている。
（２）発信操作を行った移動局装置１は、間欠受信動作を停止する。なお、本例では、移動局装置１が発信元となり、移動局装置２が呼出し先となる。
（３）そして、当該移動局装置１は、自装置１が通信可能領域（サービスエリア）に収容されて位置登録されている基地局装置１に対して、接続要求を無線送信する。
（４）当該基地局装置１は、当該移動局装置１から接続要求を受信したことに応じて、回線制御装置に対して、接続要求を送信する。
（５）当該接続要求を受信した回線制御装置は、まず、管理する全ての基地局装置１、２に対して、間欠受信停止信号を送信する。
（６）次に、当該回線制御装置は、受信した前記接続要求を判定処理する。この判定処理では、例えば、発信元番号が正常であるかどうかや、呼出し先番号が正常であるかどうかや、呼出し先はいずれの基地局装置に位置登録しているかなどを判定する。
（７）また、回線制御装置から間欠受信停止信号を受信した基地局装置１、２は、それぞれ、位置登録して管理している全ての移動局装置１、２に対して、間欠受信停止信号を無線送信する。
【００３０】
（８）当該間欠受信停止信号を受信した移動局装置１、２は、間欠受信動作を行っている場合には（本例では、移動局装置２の場合には）、間欠受信動作を停止して、一定時間全てのフレームを受信するようにする。
ここで、間欠受信停止信号により間欠受信を停止する移動局装置２が全てのフレームを受信する時間としては、種々な長さの時間が用いられてもよく、一例として、回線制御装置から接続応答及び無線チャネル指定が確実に送信されるまでに要する標準的な時間の値などが用いられるのが好ましい。
また、本例では、図２（ａ）、（ｂ）、（ｃ）に示されるような間欠受信動作が行われることから、基地局装置２から移動局装置２に対して間欠受信停止信号を送信するに際して、間欠受信動作を行っている移動局装置２が当該間欠受信停止信号を受信するまでには最大で２８０ｍｓｅｃの時間を要するが、この時間には回線制御装置が判定処理を行っている。このため、本例では、例えば図４に示されるような処理手順と比較して、（回線制御装置における判定処理のための時間）と（基地局装置２における一斉呼出しチャネル（ＰＣＨ）の送信待ちのための時間）とが同時に進行して、効率化が図られる。
【００３１】
（９）回線制御装置は、前記判定処理が終了しだい、接続要求の発信元の基地局装置１に対して接続応答及び無線チャネル指定を送信するとともに、呼出し先となる移動局装置２が位置登録している基地局装置（本例では、基地局装置２）に対して接続応答及び無線チャネル指定を送信する。
（１０）当該接続応答及び無線チャネル指定を受信した基地局装置１、２は、それぞれ、通話の発信元の移動局装置１と呼出し先の移動局装置２に対して、接続応答及び無線チャネル指定を送信する。
（１１）そして、これらの基地局装置１、２は、通信チャネルを起動する。
この時、本例では、移動局装置１、２が間欠受信動作を停止しているため、基地局装置１、２から移動局装置１、２への接続応答及び無線チャネル指定は、一斉呼出しチャネル（ＰＣＨ）を用いて送信することが可能であるばかりでなく、例えば個別ゾーン用シグナリングチャネル（ＳＣＣＨ）を用いて送信することも可能であり、一斉呼出しチャネル（ＰＣＨ）のタイミングを待つ必要がなくなる。
（１２）また、基地局装置１、２から接続応答及び無線チャネル指定を受信した移動局装置１、２は、通信チャネルを起動する。
（１３）これにより、通話接続が完了して、これらの移動局装置１、２の間で、基地局装置１、２及び回線制御装置を介して、通話状態となる。
【００３２】
以上のように、本例の空港内デジタル移動通信システムでは、例えば、少なくとも１つの基地局装置１１、１２と複数の移動局装置（無線端末装置）１、２より構成されるマルチチャネルアクセス（ＭＣＡ）無線システムを空港における構内無線システムに適用した構成において、複数の移動局装置１、２の各々は通常は間欠受信モードで間欠受信動作を行い、そして、基地局装置１１、１２から間欠受信モードを停止させるための信号（間欠受信停止信号）を一斉配信した場合には、当該間欠受信停止信号を受信した移動局装置１、２の各々は、所定の一定時間、間欠受信モードを停止して常時受信動作を行う。
また、本例の空港内デジタル移動通信システムでは、通常の間欠受信モード時には、一斉呼出しチャネル（ＰＣＨ）により基地局装置１１、１２からの送信が為され、また、基地局装置１１、１２から間欠受信モードを停止させるための信号（間欠受信停止信号）を一斉配信した場合には、所定の一定時間内に例えば個別ゾーン用シグナリングチャネル（ＳＣＣＨ）により任意の移動局装置１、２の通信を確立することが可能となる。
【００３３】
このように、本例の空港内デジタル移動通信システムにおける呼出し方式では、基地局装置１１、１２から移動局装置１、２の間欠受信動作を停止させる信号（間欠受信停止信号）を送信して基地局装置１１、１２から移動局装置１、２の間欠受信を停止させ、間欠受信動作を停止した移動局装置１、２に対して、一斉呼出しチャネル（ＰＣＨ）以外のフレームにおいても、呼出し情報（呼出し信号）を送信して通話を接続する。
具体的には、回線制御装置１４は、接続要求を受信した場合に、全ての基地局装置１１、１２に対して間欠受信停止信号を送信した後に、判定処理を行う。すると、基地局装置１１、１２は、全ての移動局装置１、２に対して一斉呼出しチャネル（ＰＣＨ）で間欠受信停止信号を無線送信し、その後、所定の時間、全てのフレームで呼出し情報を無線送信する。また、間欠受信停止信号を受信した移動局装置１、２は、直ちに間欠受信動作を停止して、所定の時間、間欠受信動作を停止して、全てのフレームを受信する。これにより、通話接続時間を短縮させる。
【００３４】
従って、本例の空港内デジタル移動通信システムでは、回線制御装置１４が判定処理を行う前に、全ての移動局装置１、２に対して間欠受信停止信号を送信して全ての移動局装置１、２の間欠受信動作を停止させ、その後、接続応答及び無線チャネル指定を送信することにより、通話接続時間を短縮させることが可能となる。これにより、基地局装置１１、１２から間欠受信動作中の移動局装置１、２を呼び出すに際して、当該呼出しの方式を改良したことで、通話接続時間を短縮させることができ、例えば、通話接続時間を数１００ｍｓｅｃ程度にすることも可能である。
ここで、空港は、特に、安全性のためなどに緊急性が要求されるため、通話接続時間を短縮することは有効である。
また、本例では、空港を例として説明しているが、例えば、遊園地や観光地などのように、不特定多数の人が集まるような場所に本例のようなシステムを適用することも可能である。
【００３５】
なお、本例の無線通信システムである空港内デジタル移動通信システムの移動局装置（無線端末装置）１、２では、間欠受信動作実行手段の機能や、接続要求信号無線送信手段の機能や、間欠受信停止信号受信手段の機能や、連続受信動作実行手段の機能や、呼出し先接続応答信号受信手段の機能や、通話実行手段の機能を備えている。
また、本例の無線通信システムである空港内デジタル移動通信システムの基地局装置１１、１２では、接続要求信号受信手段の機能や、通話接続処理手段の機能や、接続要求信号送信手段の機能や、間欠受信停止信号受信手段の機能や、呼出し先接続応答信号受信手段の機能を備えている。
また、本例の無線通信システムである空港内デジタル移動通信システムの回線制御装置１４では、接続要求信号受信手段の機能や、通話接続処理手段の機能を備えている。
【実施例２】
【００３６】
本発明の第２実施例を説明する。
本例の空港内デジタル移動通信システムでは、例えば図３に示されるような通話接続方式において、基地局装置１１、１２から移動局装置（無線端末装置）１、２に対して間欠受信停止信号を送信して間欠受信動作をしている移動局装置２の間欠受信動作を停止させる（図３中の（５）、（７）、（８）の処理）に際して、監視カメラ装置３１による撮像画像や画像撮像態様などに基づいて、移動局装置１、２の間欠受信動作を停止させる領域（エリア）を限定する。
具体的には、監視カメラ装置３１は複数のカメラを有しており、空港内の様々な場所にそれぞれのカメラが設置されて、それぞれのカメラによりそれぞれの場所の画像を撮像する。それぞれのカメラにより撮像される画像のデータは、例えば、回線制御装置１４を介して、運用管理装置２４などへ送信され、運用管理装置２４などに備えられた画面（監視モニタ）に表示出力される。監視者は、当該画面に表示される画像を見ることにより、カメラが設置された様々な場所の様子を知ることができる。
【００３７】
また、例えば図３に示されるように或る移動局装置による発信操作があって基地局装置から回線制御装置１４へ接続要求が到達した場合には、回線制御装置１４は、監視カメラ装置３１のカメラにより撮像される画像や撮像の態様などに基づいて、間欠受信停止信号を全ての或いは特定の一部の基地局装置１１、１２に対して送信し、当該間欠受信停止信号を受信した基地局装置１１、１２の全て或いは特定の一部は、間欠受信停止信号を移動局装置１、２に対して無線送信する。
この場合に、回線制御装置１４或いは運用管理装置２４などは、監視カメラ装置３１のカメラにより撮像される画像や撮像の態様などに基づいて移動局装置１、２の間欠受信動作を停止させる領域を特定して、特定した領域に存在する移動局装置１、２のみに対して間欠受信停止信号が送信されるようにする。この実現手法としては、例えば、回線制御装置１４から特定した領域に対応する基地局装置のみに対して間欠受信停止信号を送信する手法や、回線制御装置１４から全ての基地局装置に対して間欠受信停止信号を送信する際に当該間欠受信停止信号に特定した領域に対応する基地局装置を指定する情報を含めておいて当該情報により指定された基地局装置のみが間欠受信停止信号を移動局装置１、２に対して無線送信する手法などを用いることができる。
【００３８】
また、移動局装置１、２の間欠受信動作を停止させる領域として、どのような領域を特定するかについて具体例を示す。
なお、本例では、監視カメラ装置３１が複数のカメラを有する構成を示しているが、例えば、１つのカメラのみを有する構成が用いられてもよい。
一例として、所定のカメラにより現在撮像されている領域或いは当該領域近辺の領域を、移動局装置１、２の間欠受信動作を停止させる領域として特定（限定）する。
他の一例として、所定のカメラにより現在撮像されている領域或いは当該領域近辺に存在する基地局装置１１、１２の通信可能領域（サービスエリア）を、移動局装置１、２の間欠受信動作を停止させる領域として特定（限定）する。
ここで、所定のカメラとしては、例えば、１つのカメラのみが存在する場合には当該カメラが用いられ、また、複数のカメラが存在する場合には、予め設定された１又は２以上のカメラや、監視モニタの画面に表示されている画像を撮像している１又は２以上のカメラや、監視モニタの画面を見ている監視者による操作或いは自動的な物体検出結果などに基づいて撮像方向や撮像角度などが変更された（例えば、首が振られた）１又は２以上のカメラや、監視モニタの画面を見ている監視者による操作或いは自動的な物体検出結果などに基づいてクローズアップ操作された１又は２以上のカメラなどを用いることができる。
また、移動局装置１、２の間欠受信動作を停止させる領域としては、本例に限られず、種々な領域が用いられてもよく、例えば、緊急性が要求されて、通話接続までに要する時間を短縮することが望まれるような領域を用いるのが好ましい。
【００３９】
以上のように、本例の空港内デジタル移動通信システムでは、間欠受信動作をしている移動局装置１、２の間欠受信動作を停止させるに際して、監視カメラ装置３１による撮像画像や画像撮像態様などに基づいて、移動局装置１、２の間欠受信動作を停止させる領域を限定する。
従って、本例の空港内デジタル移動通信システムでは、監視カメラ装置３１を用いて、特に必要であると予想される領域のみについて、当該領域に存在する移動局装置１、２の間欠受信動作を停止させることができ、これにより、当該領域において通話接続時間を短縮させることができ、例えば、安全性や緊急性に関して素早く対応することができる。
なお、本例の無線通信システムである空港内デジタル移動通信システムの監視カメラ装置３１では、画像撮像手段の機能を備えている。
また、本例の無線通信システムである空港内デジタル移動通信システムの例えば回線制御装置１４では、間欠受信動作停止領域特定手段の機能や、間欠受信動作停止制御手段の機能を備えている。
【００４０】
ここで、本発明に係る無線通信システムや移動局装置や基地局装置や回線制御装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線通信システムや移動局装置や基地局装置や回線制御装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４１】
【図１】本発明の実施例に係る空港内デジタル移動通信システムの構成例を示す図である。
【図２】（ａ）は基地局装置から送信される制御チャネルのフレームの構成例を示す図であり、（ｂ）は間欠受信動作停止時における受信状態の一例を示す図であり、（ｃ）は間欠受信動作時における受信状態の一例を示す図である。
【図３】本発明の実施例に係る空港内デジタル移動通信システムにおける通話接続までの処理の流れの一例を示す図である。
【図４】空港内デジタル移動通信システムにおける通話接続までの処理の流れの一例を示す図である。
【符号の説明】
【００４２】
１、２・・無線端末装置、  １１、１２・・基地局装置、  １３・・インタフェース装置、  １４・・回線制御装置、  １５・・有線端末接続装置、  ２１、２２・・有線端末装置、  ２３・・ダイナミックリグルーピング端末装置、  ２４・・運用管理装置、  ３１・・監視カメラ装置、
【図１】
2006222998.tif 000003
【図２】
2006222998.tif 000004
【図３】
2006222998.tif 000005
【図４】
2006222998.tif 000006